(57)【特許請求の範囲】
【請求項１】
物体側から順に、
正の屈折力を有するレンズ群Ｇ１と、
負の屈折力を有するレンズ群Ｇ２と、
開口絞りと、
正の屈折力を有するレンズ群Ｇ３と、
負の屈折力を有するレンズ群Ｇ４と、からなり、
変倍時には各レンズ群の空気間隔が可変であり、前記第３レンズ群Ｇ３の最も像側の空気レンズは凸レンズ形状である結像光学系において、
前記第４レンズ群は１つのレンズ成分からなり、またフォーカス時にも可動であり、以下の条件を満足することを特徴とする結像光学系。
０．５＜（Ｒ4F＋Ｒ4R）／（Ｒ4F−Ｒ4R）＜８．０      ・・・（１）
−１２．０＜（Ｒ4LAF＋Ｒ4LAR）／（Ｒ4LAF−Ｒ4LAR）＜−２．０  ・・・（２）
ここで、
Ｒ4Fは前記第４レンズ群Ｇ４の最も物体側の面の光軸上での曲率半径、
Ｒ4Rは前記第４レンズ群Ｇ４の最も像側の面の光軸上での曲率半径、
Ｒ4LAFは前記第４レンズ群Ｇ４に接合されている正レンズLAの物体側の面の光軸上での曲率半径、
Ｒ4LARは前記第４レンズ群Ｇ４に接合されている正レンズLAの像側の面の光軸上での曲率半径、
である。
【請求項２】
前記第３レンズ群Ｇ３の最も像側の空気レンズを物体側の面の方が強い曲率の凸形状とし、さらに以下の条件を満足することを特徴とする請求項１の結像光学系。
−８．０＜（Ｒ3ALF＋Ｒ3ALR）／（Ｒ3ALF−Ｒ3ALR）＜−０．３      ・・・（３）
ここで、
Ｒ3ALFは前記第３レンズ群Ｇ３の最も像側の空気レンズの物体側の面の光軸上での曲率半径、
Ｒ3ALRは前記第３レンズ群Ｇ３の最も像側の空気レンズの像側の面の光軸上での曲率半径、
である。
【請求項３】
前記第４レンズ群Ｇ４は、正レンズＬAを含む複数のレンズを接合してなる接合レンズ成分からなり、
横軸をνd、及び縦軸をｎdとする直交座標系において、
ｎd＝ａ×νd＋ｂ    （但し、ａ＝−０．０２６７）
で表される直線を設定したときに、以下の条件式（４）の範囲の下限値であるときの直線、及び上限値であるときの直線で定まる領域と、以下の条件式（５）で定まる領域との２つの領域に、前記正レンズＬAのｎd及びνdが含まれることを特徴とする請求項１または２の結像光学系。
２．００＜ｂ＜２．４０    （但し、ｎd＞１．４５）      …（４）
νd＜２６．０                                        …（５）
ここで、
νdは前記正レンズＬAのアッベ数（ｎdA−1）／（ｎFA−ｎCA）、
ｎdA、ｎCA、ｎFAは前記正レンズＬAの各々ｄ線、Ｃ線、Ｆ線の屈折率をそれぞれ表す。
【請求項４】
前記第４レンズ群Ｇ４は正レンズＬAを含む複数のレンズを接合してなる接合レンズ成分からなり、
横軸をνd、及び縦軸をθgFとする直交座標系において、
θgF＝α×νd＋β（但し、α＝−０．００５６６）
で表される直線を設定したときに、以下の条件式（６）の範囲の下限値であるときの直線、及び上限値であるときの直線で定まる領域と、以下の条件式（５）で定まる領域との両方の領域に、前記第４レンズ群Ｇ４に含まれる前記正レンズＬAのθgF及びνdが含まれることを特徴とする請求項１〜３のいずれか一項に記載の結像光学系。
０．７２００＜β＜０．８３００        …（６）
νd＜２６                            …（５）
ここで、
θgF（ＬA）は前記正レンズＬAの部分分散比（ｎgA−ｎFA）／（ｎFA−ｎCA）、
νdは前記正レンズＬAのアッベ数（ｎdA−1）／（ｎFA−ｎCA）、
ｎdA、ｎCA、ｎFA、ｎgAはそれぞれ前記正レンズＬAの各々ｄ線、Ｃ線、Ｆ線、ｇ線の屈折率、
である。
【請求項５】
前記直交座標とは別の、横軸をνd、及び縦軸をθhgとする直交座標系において、
θhg＝αhg×νd＋βhg（但し、αhg＝−０．００８３４）
で表される直線を設定したときに、以下の条件式（７）の範囲の下限値であるときの直線、及び上限値であるときの直線で定まる領域と、以下の条件式（５）で定まる領域との両方の領域に、前記第４レンズ群Ｇ４に含まれる前記正レンズＬAのθhg及びνdが含まれることを特徴とする請求項４に記載の結像光学系。
０．７６００＜βhg＜０．９０００    …（７）
νd＜２６                            …（５）
ここで、
θhg（ＬA）は前記正レンズＬAの部分分散比（ｎhA−ｎgA）／（ｎFA−ｎCA）、
ｎhAは前記正レンズＬAのｈ線の屈折率、
である。
【請求項６】
前記第４レンズ群Ｇ４は前記正レンズＬAと負レンズＬBの２つのレンズが接合されてなることを特徴とする請求項１〜５のいずれか一項に記載の結像光学系。
【請求項７】
近軸焦点距離が負の値のレンズを負レンズとしたとき、前記正レンズＬAが接合される相手のレンズＬBは負レンズであり、以下の条件を満足することを特徴とする請求項１〜６のいずれか一項に記載の結像光学系。
０．０００≦θgF（ＬA）−θgF（ＬB）≦０．２００      …（８）
ここで、
θgF（ＬA）は前記正レンズＬAの部分分散比（ｎgA−ｎFA）／（ｎFA−ｎCA）、
θgF（ＬB）は前記接合される相手のレンズＬBの部分分散比（ｎgB−ｎFB）／（ｎFB−ｎCB）、
ｎdB、ｎCB、ｎFB、ｎgBはそれぞれ前記レンズＬBの各々ｄ線、Ｃ線、Ｆ線、ｇ線の屈折率、
である。
【請求項８】
近軸焦点距離が負の値のレンズを負レンズとしたとき、前記正レンズＬAが接合される相手のレンズＬBは負レンズであり、以下の条件を満足することを特徴とする請求項１〜７のいずれか一項に記載の結像光学系。
０．０００≦θhg（ＬA）−θhg（ＬB）≦０．３００       …（９）
ここで、
θhg（ＬA）は前記レンズＬAの部分分散比（ｎhA−ｎgA）／（ｎFA−ｎCA）、
θhg（ＬB）は前記接合される相手のレンズＬBの部分分散比（ｎhB−ｎgB）／（ｎFB−ｎCB）、
である。
【請求項９】
近軸焦点距離が負の値のレンズを負レンズとしたとき、前記正レンズＬAが接合される相手のレンズＬBは負レンズであり、以下の条件を満足することを特徴とする請求項７または８に記載の結像光学系。
νd（ＬA）−νd（ＬB）≦−１５       …（１０）
ここで、
νd（ＬA）は前記レンズＬAのアッベ数（ｎdA−１）／（ｎFA−ｎCA）、
νd（ＬB）は前記接合される相手のレンズＬBのアッベ数（ｎdB−１）／（ｎFB−ｎCB）、
である。
【請求項１０】
請求項１〜９のいずれか一項に記載の結像光学系と、
電子撮像素子と、
前記結像光学系を通じて結像した像を前記電子撮像素子で撮像することによって得られた画像データを加工して像の形状を変化させた画像データとして出力する画像処理手段とを有し、
前記結像光学系がズームレンズであり、該ズームレンズが、無限遠物点合焦時に次の条件式を満足することを特徴とする電子撮像装置。
０．７０＜ｙ07／（ｆｗ・ｔａｎω07w）＜０．９６      …（１３）
ここで、ｙ07は前記電子撮像素子の有効撮像面内（撮像可能な面内）で中心から最も遠い点までの距離（最大像高）をｙ10としたときｙ07＝０．７・ｙ10として表され、ω07wは広角端における前記撮像面上の中心からｙ07の位置に結ぶ像点に対応する物点方向の光軸に対する角度、fwは前記ズームレンズの広角端における全系の焦点距離である。
【発明の詳細な説明】
【技術分野】
【０００１】
本発明は結像光学系それを有する電子撮像装置に関するものである。
【背景技術】
【０００２】
近年、撮像素子の高画素数化やデジタル画像処理技術の進展により、銀塩３５ｍｍフィルムカメラからデジタルカメラにとって代わった。また、ファインダーとして用いられる小型の液晶パネルの画素数も増えてきたため、レンズ交換式カメラもいわゆる一眼レフレックス方式からクイックリターンミラーを廃止した新しいコンセプトのカメラに移行しつつある。
【０００３】
さらに、画像処理系のビットレートやフラッシュメモリーなどの記録媒体の容量も桁単位で増加しているため、高画質な動画記録が可能になってきている。一方、高性能な動画機能を搭載しながらカメラシステムを小型化するにはフォーカス駆動部分の軽量化が必要である。
【０００４】
最近では、ズーム光学系におけるフォーカス駆動部分には、極力軽量とするために、径が小さく構成枚数の少ない光学系後部のレンズ群が選ばれる。特に、コンパクトカメラでは１枚のみで構成されている。しかし、無限遠物点から近距離物点に至るまである程度以上の結像性能が要求されるカメラでは特に色収差、コマ収差、メリジオナル像面湾曲の補正が不十分となる。
【０００５】
そこで、フォーカスレンズ群の軽量性を維持しつつ複数枚のレンズ要素で構成するために、例えば特許文献１、特許文献２、特許文献３、特許文献４に提案されているような、開口絞りよりも像側のレンズ群が基材レンズに薄い樹脂レンズを接合した１成分で構成されたレンズ群をフォーカスレンズ群として使用することが考えられる。
【先行技術文献】
【特許文献】
【０００６】
【特許文献１】特開２００７−１０８７０７号公報
【特許文献２】特開２００７−１０８７１５号公報
【特許文献３】特開２００８−１９１３０８号公報
【特許文献４】特開２００８−１９１３１１号公報
【発明の概要】
【発明が解決しようとする課題】
【０００７】
しかしながら、この場合、色収差の補正は可能であるが、コマ収差、メリジオナル像面湾曲の補正が依然として不十分のままである。
【０００８】
本発明は、上記従来の課題に鑑みてなされたものであり、レンズ交換式静止画カメラの動画機能の高性能化にともなうフォーカスレンズ群の軽量化と同時に、色収差、コマ収差、メリジオナル像面湾曲が良好に補正された結像光学系を得ること、また、電子撮像装置において、該結像光学系を用いることにより、フォーカスの高速化、消費電力の削減、画像の鮮鋭化などを実現することを目的としている。
【課題を解決するための手段】
【０００９】
上述した課題を解決し、目的を達成するために、本発明の結像光学系は、
物体側から順に、正の屈折力を有するレンズ群Ｇ１と、負の屈折力を有するレンズ群Ｇ２と、開口絞りと、正の屈折力を有するレンズ群Ｇ３と、負の屈折力を有するレンズ群Ｇ４とからなり、
変倍時には各レンズ群の空気間隔が可変であり、第３レンズ群Ｇ３の最も像側の空気レンズは凸レンズ形状である結像光学系において、
第４レンズ群は１つのレンズ成分からなり、またフォーカス時にも可動であり、以下の条件を満足することを特徴とする。
０．５＜（Ｒ4F＋R4R）／（Ｒ4F−R4R）＜８．０      ・・・（１）
−１２．０＜（Ｒ4LAF＋R4LAR）／（Ｒ4LAF−R4LAR）＜−２．０      ・・・（２）
ここで、
Ｒ4Fは第４レンズ群Ｇ４の最も物体側の面の光軸上での曲率半径、
Ｒ4Rは第４レンズ群Ｇ４の最も像側の面の光軸上での曲率半径、
Ｒ4LAFは第４レンズ群Ｇ４に接合されている正レンズLAの物体側の面の光軸上での曲率半径、
Ｒ4LARは第４レンズ群Ｇ４に接合されている正レンズLAの像側の面の光軸上での曲率半径、
である。
【００１０】
また、本発明の電子撮像装置は、
上述の結像光学系と、
電子撮像素子と、
結像光学系を通じて結像した像を電子撮像素子で撮像することによって得られた画像データを加工して像の形状を変化させた画像データとして出力する画像処理手段とを有し、
結像光学系がズームレンズであり、該ズームレンズが、無限遠物点合焦時に次の条件式を満足することを特徴とする。
０．７０＜ｙ07／（ｆｗ・ｔａｎω07w）＜０．９６      …（１３）
ここで、ｙ07は電子撮像素子の有効撮像面内（撮像可能な面内）で中心から最も遠い点までの距離（最大像高）をｙ10としたときｙ07＝０．７・ｙ10として表され、ω07wは広角端における撮像面上の中心からｙ07の位置に結ぶ像点に対応する物点方向の光軸に対する角度、fwはズームレンズの広角端における全系の焦点距離である。
【発明の効果】
【００１１】
本発明によれば、レンズ交換式静止画カメラの動画機能の高性能化にともなうフォーカスレンズ群の軽量化が達成され、さらに色収差・コマ収差・メリジオナル像面湾曲が良好に補正された結像光学系を得ることが出来、また、電子撮像装置において、該結像光学系を用いることにより、フォーカスの高速化、消費電力の削減、画像の鮮鋭化などを実現することが可能となる。
【図面の簡単な説明】
【００１２】
【図１】本発明の実施例１にかかるズームレンズの（ａ）は広角端、（ｂ）は中間、（ｃ）は望遠端における無限遠物点合焦時の光学構成を示す光軸に沿う断面図である。
【図２】実施例１にかかるズームレンズの無限遠物点合焦時における球面収差、非点収差、歪曲収差、倍率色収差を示す図であり、（a）は広角端、（b）は中間、（c）は望遠端での状態を示している。
【図３】実施例１にかかるズームレンズの無限遠物点合焦時における軸外光束のコマ収差を示す図であり、（a）は広角端、（b）は中間、（c）は望遠端での状態を示している。
【図４】本発明の実施例２にかかるズームレンズの（ａ）は広角端、（ｂ）は中間、（ｃ）は望遠端における無限遠物点合焦時の光学構成を示す光軸に沿う断面図である。
【図５】実施例２にかかるズームレンズの無限遠物点合焦時における球面収差、非点収差、歪曲収差、倍率色収差を示す図であり、（a）は広角端、（b）は中間、（c）は望遠端での状態を示している。
【図６】実施例２にかかるズームレンズの無限遠物点合焦時における軸外光束のコマ収差を示す図であり、（a）は広角端、（b）は中間、（c）は望遠端での状態を示している。
【図７】本発明の実施例３にかかるズームレンズの（ａ）は広角端、（ｂ）は中間、（ｃ）は望遠端における無限遠物点合焦時の光学構成を示す光軸に沿う断面図である。
【図８】実施例３にかかるズームレンズの無限遠物点合焦時における球面収差、非点収差、歪曲収差、倍率色収差を示す図であり、（a）は広角端、（b）は中間、（c）は望遠端での状態を示している。
【図９】実施例３にかかるズームレンズの無限遠物点合焦時における軸外光束のコマ収差を示す図であり、（a）は広角端、（b）は中間、（c）は望遠端での状態を示している。
【図１０】本発明の実施例４にかかるズームレンズの（ａ）は広角端、（ｂ）は中間、（ｃ）は望遠端における無限遠物点合焦時の光学構成を示す光軸に沿う断面図である。
【図１１】実施例４にかかるズームレンズの無限遠物点合焦時における球面収差、非点収差、歪曲収差、倍率色収差を示す図であり、（a）は広角端、（b）は中間、（c）は望遠端での状態を示している。
【図１２】実施例４にかかるズームレンズの無限遠物点合焦時における軸外光束のコマ収差を示す図であり、（a）は広角端、（b）は中間、（c）は望遠端での状態を示している。
【図１３】本発明によるズーム光学系を組み込んだデジタルカメラ４０の外観を示す前方斜視図である。
【図１４】デジタルカメラ４０の後方斜視図である。
【図１５】デジタルカメラ４０の光学構成を示す断面図である。
【図１６】本発明のズーム光学系が対物光学系として内蔵された情報処理装置の一例であるパソコン３００のカバーを開いた状態の前方斜視図である。
【図１７】パソコン３００の撮影光学系３０３の断面図である。
【図１８】パソコン３００の側面図である。
【図１９】本発明のズーム光学系が撮影光学系として内蔵された情報処理装置の一例である携帯電話を示す図であり、（a）は携帯電話４００の正面図、（b）は側面図、（c）は撮影光学系４０５の断面図である。
【発明を実施するための形態】
【００１３】
以下に、本発明にかかる結像光学系及び電子撮像装置の実施例を図面に基づいて詳細に説明する。なお、この実施例によりこの発明が限定されるものではない。
実施例の説明に先立ち、本実施形態の結像光学系の作用効果について説明する。なお、近軸焦点距離が正の値のレンズを正レンズ、近軸焦点距離が負の値のレンズを負レンズとする。
【００１４】
本実施形態の結像光学系では、物体側から順に、正の屈折力を有するレンズ群Ｇ１と、負の屈折力を有するレンズ群Ｇ２と、開口絞りと、正の屈折力を有するレンズ群Ｇ３と、負の屈折力を有するレンズ群Ｇ４とからなり、変倍時には各レンズ群の空気間隔が可変である結像光学系を採用している。
【００１５】
特に第４レンズ群をフォーカスのために移動するレンズ群とし、さらに第４レンズ群を１つのレンズ成分のみで構成する。このことで、フォーカスのために移動するレンズ群の軽量化が可能となる。そして、そのために劣化する収差、特に、コマ収差とメリジオナル像面湾曲を補正するために、第３レンズ群Ｇ３の最も像側の空気レンズを凸レンズ形状としていることを特徴とするものである。そしてさらに以下の条件を満足するものである。
【００１６】
０．５＜（Ｒ4F＋Ｒ4R）／（Ｒ4F−Ｒ4R）＜８．０      ・・・（１）
−１２．０＜（Ｒ4LAF＋Ｒ4LAR）／（Ｒ4LAF−R4LAR）＜−２．０  ・・・（２）
ここで、
Ｒ4Fは第４レンズ群Ｇ４の最も物体側の面の光軸上での曲率半径、
Ｒ4Rは第４レンズ群Ｇ４の最も像側の面の光軸上での曲率半径、
Ｒ4LAFは第４レンズ群Ｇ４に接合されている正レンズLAの物体側の面の光軸上での曲率半径、
Ｒ4LARは第４レンズ群Ｇ４に接合されている正レンズLAの像側の面の光軸上での曲率半径、
である。
【００１７】
条件式（１）、（２）のいずれかの範囲を超えると、第３レンズ群の最も像側の空気レンズを凸レンズ形状にしたとしても、フォーカス可能領域全域に亘ったコマ収差、メリジオナル像面湾曲の補正が困難となる。
【００１８】
なお、条件式（１）に代えて、次の条件式（１’）を満足すると、より好ましい。
１．５＜（Ｒ4F＋Ｒ4R）／（Ｒ4F−Ｒ4R）＜５．０      ・・・（１’）
さらに、条件式（１）に代えて、次の条件式（１”）を満足すると、より一層好ましい。
１．８＜（Ｒ4F＋Ｒ4R）／（Ｒ4F−Ｒ4R）＜４．０      ・・・（１”）
また、条件式（２）に代えて、次の条件式（２’）を満足すると、より好ましい。
−９．０＜（Ｒ4LAF＋Ｒ4LAR）／（Ｒ4LAF−R4LAR）＜−３．０  ・・・（２’）
さらに、条件式（２）に代えて、次の条件式（２”）を満足すると、より一層好ましい。
−７．０＜（Ｒ4LAF＋Ｒ4LAR）／（Ｒ4LAF−Ｒ4LAR）＜−４．０  ・・・（２”）
【００１９】
また、第３レンズ群Ｇ３の最も像側の空気レンズを物体側の面の方が強い曲率の凸形状とし、さらに以下の条件を満足するとよい。
−８．０＜（Ｒ3ALF＋Ｒ3ALR）／（Ｒ3ALF−Ｒ3ALR）＜−０．３    ・・・（３）
ここで、
Ｒ3ALFは第３レンズ群Ｇ３の最も像側の空気レンズの物体側の面の光軸上での曲率半径、
Ｒ3ALRは第３レンズ群Ｇ３の最も像側の空気レンズの像側の面の光軸上での曲率半径、
である。
【００２０】
条件式（３）の範囲を超えると、条件式（１）（２）を満たしても、フォーカス可能領域全域に亘ったコマ収差、メリジオナル像面湾曲の補正が困難となる。
【００２１】
なお、条件式（３）に代えて、次の条件式（３’）を満足すると、より好ましい。
−６．０＜（Ｒ3ALF＋Ｒ3ALR）／（Ｒ3ALF−R3ALR）＜−０．６  ・・・（３’）
さらに、条件式（３）に代えて、次の条件式（３”）を満足すると、より一層好ましい。
−４．０＜（Ｒ3ALF＋Ｒ3ALR）／（Ｒ3ALF−Ｒ3ALR）＜−０．９  ・・・（３”）
【００２２】
また、第４レンズ群Ｇ４は正レンズＬAを含む複数のレンズを接合してなる接合レンズ成分からなり、
横軸をνd、及び縦軸をｎdとする直交座標系において、
ｎd ＝ａ×νd＋ｂ    （但し、ａ＝−０．０２６７）
で表される直線を設定したときに、以下の条件式（４）の範囲の下限値であるときの直線、及び上限値であるときの直線で定まる領域と、以下の条件式（５）で定まる領域との２つの領域に、正レンズＬAのｎd及びνdが含まれることを特徴とするものである。
【００２３】
２．００＜ｂ＜２．４０    （但し、ｎd＞１．４５）    …（４）
νd＜２６．０                                      …（５）
ここで、
νdは正レンズＬAのアッベ数（ｎd−1）／（ｎF−ｎC）、
ｎd、ｎC、ｎFは正レンズＬAの各々ｄ線、Ｃ線、Ｆ線の屈折率をそれぞれ表す。
【００２４】
条件式（４）の上限値を上回るとペッツバール和の補正が困難になりやすくメリジオナル像面湾曲の補正が行ないにくくなる。
条件式（４）の下限値を下回るとコマ収差の補正が行ないにくくなる。
条件式（５）の上限値を上回ると、フォーカスによる色収差の変動が大きくなりやすい。
【００２５】
なお、条件式（４）に代えて、次の条件式（４’）を満足すると、より好ましい。
２．１０＜ｂ＜２．３３       …（４’）
さらに、条件式（４）に代えて、次の条件式（４”）を満足すると、より一層好ましい。
２．２０＜ｂ＜２．２９       …（４”）
【００２６】
なお、条件式（５）に代えて、次の条件式（５’）を満足すると、より好ましい。
νd＜２５．０       …（５’）
さらに、条件式（５）に代えて、次の条件式（５”）を満足すると、より一層好ましい。
νd＜２４．２       …（５”）
【００２７】
また、第４レンズ群Ｇ４は正レンズＬAを含む複数のレンズを接合してなる接合レンズ成分からなり、
横軸をνd、及び縦軸をθgFとする直交座標系において、
θgF＝α×νd＋β（但し、α＝−０．００５６６）
で表される直線を設定したときに、以下の条件式（６）の範囲の下限値であるときの直線、及び上限値であるときの直線で定まる領域と、以下の条件式（５）で定まる領域との両方の領域に、第４レンズ群Ｇ４に含まれる正レンズＬAのθgF及びνdが含まれることを特徴とするものである。
【００２８】
０．７２００＜β＜０．８３００       …（６）
νd＜２６                            …（５）
ここで、
θgFは正レンズＬAの部分分散比（ｎg−ｎF）／（ｎF−ｎC）、
νdは正レンズＬAのアッベ数（ｎd−1）／（ｎF−ｎC）、
ｎd、ｎC、ｎF、ｎgは正レンズＬAの各々ｄ線、Ｃ線、Ｆ線、ｇ線の屈折率、
である。
【００２９】
条件式（６）の上限値を上回る硝材を用いた場合、二次スペクトルによる倍率色収差、つまりＦ線とＣ線で色消しをしたときのｇ線の倍率色収差補正が十分でなくなる。そのため、撮像で得た画像において、同様に鮮鋭さを確保しづらい。
【００３０】
条件式（６）の下限値を下回る硝材を用いた場合、二次スペクトルによる軸上色収差、つまりＦ線とＣ線で色消しをしたときのｇ線の軸上色収差補正が十分でなくなる。そのため、撮像で得た画像において、同様に鮮鋭さを確保しづらい。
【００３１】
なお、条件式（６）に代えて、次の条件式（６’）を満足すると、より好ましい。
０．７４００＜β＜０．８２００       …（６’）
さらに、条件式（６）に代えて、次の条件式（６”）を満足すると、より一層好ましい。
０．７５８０＜β＜０．８１００       …（６”）
【００３２】
また、直交座標とは別の、横軸をνd、及び縦軸をθhgとする直交座標系において、
θhg＝αhg×νd＋βhg（但し、αhg＝−０．００８３４）
で表される直線を設定したときに、以下の条件式（７）の範囲の下限値であるときの直線、及び上限値であるときの直線で定まる領域と、以下の条件式（５）で定まる領域との両方の領域に、第４レンズ群Ｇ４に含まれる正レンズＬAのθhg及びνdが含まれることを特徴とするものである。
【００３３】
０．７６００＜βhg＜０．９０００       …（７）
νd＜２６                              …（５）
ここで、
θhgは正レンズＬAの部分分散比（ｎh−ｎg）／（ｎF−ｎC）、
ｎhは正レンズＬAのｈ線の屈折率、
である。
【００３４】
条件式（７）の上限値を上回る硝材を用いた場合、二次スペクトルによる倍率色収差、つまりＦ線とＣ線で色消しをしたときのｈ線の倍率色収差補正が十分でなくなる。そのため、撮像で得た画像において、同様に紫の色フレア、色にじみが発生しやすい。
【００３５】
条件式（７）の下限値を下回る硝材を用いた場合、二次スペクトルによる軸上色収差、つまりＦ線とＣ線で色消しをしたときのｈ線の軸上色収差補正が十分でなくなる。そのため、撮像で得た画像において、同様に紫の色フレア、色にじみが発生しやすい。
【００３６】
なお、条件式（７）に代えて、次の条件式（７’）を満足すると、より好ましい。
０．７６５０＜βhg＜０．８７００       …（７’）
さらに、条件式（７）に代えて、次の条件式（７”）を満足すると、より一層好ましい。
０．７６８０＜βhg＜０．８６２０       …（７”）
【００３７】
また、第４レンズ群Ｇ４は正レンズＬAと負レンズＬBの２つのレンズのみを接合して構成するのが良い。
【００３８】
また、近軸焦点距離が負の値のレンズを負レンズとしたとき、正レンズＬAが接合される相手のレンズＬBは負レンズであり、以下の条件を満足するのがよい。
０．０００≦θgF（ＬA）−θgF（ＬB）≦０．２００     …（８）
ここで、
θgF（ＬA）はレンズＬAの部分分散比（ｎg−ｎF）／（ｎF−ｎC）、
θgF（ＬB）は接合される相手のレンズＬBの部分分散比（ｎg−ｎF）／（ｎF−ｎC）、
である。
【００３９】
条件式（８）の上限値を上回る硝材を用いた場合、二次スペクトルによる倍率色収差、つまりＦ線とＣ線で色消しをしたときのｇ線の倍率色収差補正が十分でなくなる。そのため、撮像で得た画像において、同様に鮮鋭さを確保しづらい。
【００４０】
条件式（８）の下限値を下回る硝材を用いた場合、二次スペクトルによる軸上色収差、つまりＦ線とＣ線で色消しをしたときのｇ線の軸上色収差補正が十分でなくなる。そのため、撮像で得た画像において、同様に鮮鋭さを確保しづらい。
【００４１】
また、上記条件式（８）に代えて、（８’）を満足するのがより望ましい。
０．０５０≦θgF（ＬA）−θgF（ＬB）≦０．１５０       …（８’）
さらに、上記条件式（８）に代えて、（８”）を満足すると最も良い。
０．０６５≦θgF（ＬA）−θgF（ＬB）≦０．１３０       …（８”）
【００４２】
また、近軸焦点距離が負の値のレンズを負レンズとしたとき、正レンズＬAが接合される相手のレンズＬBは負レンズであり、以下の条件を満足するのがよい。
０．０００≦θhg（ＬA）−θhg（ＬB）≦０．３００       …（９）
ここで、
θhg（ＬA）はレンズＬAの部分分散比（ｎh−ｎg）／（ｎF−ｎC）、
θhg（ＬB）は接合される相手のレンズＬBの部分分散比（ｎh−ｎg）／（ｎF−ｎC）、
である。
【００４３】
条件式（９）の上限値を上回る硝材を用いた場合、二次スペクトルによる倍率色収差、つまりＦ線とＣ線で色消しをしたときのｈ線の倍率色収差補正が十分でなくなる。そのため、撮像で得た画像において、同様に紫の色フレア、色にじみが発生しやすい。
【００４４】
条件式（９）の下限値を下回る硝材を用いた場合、二次スペクトルによる軸上色収差、つまりＦ線とＣ線で色消しをしたときのｈ線の軸上色収差補正が十分でなくなる。そのため、撮像で得た画像において、同様に紫の色フレア、色にじみが発生しやすい。
【００４５】
また、上記条件式（９）に代えて、（９’）を満足するのがより望ましい。
０．１００≦θhg（ＬA）−θhg（ＬB）≦０．２５０       …（９’）
さらに、上記条件式（９）に代えて、（９”）を満足すると最も良い。
０．１０５≦θhg（ＬA）−θhg（ＬB）≦０．２１０       …（９”）
【００４６】
また、近軸焦点距離が負の値のレンズを負レンズとしたとき、正レンズＬAが接合される相手のレンズＬBは負レンズであり、以下の条件を満足するのがよい。
νd（ＬA）−νd（ＬB）≦−１５       …（１０）
ここで、
νd（ＬA）はレンズＬAのアッベ数（ｎd−１）／（ｎF−ｎC）、
νd（ＬB）は接合される相手のレンズＬBのアッベ数（ｎd−１）／（ｎF−ｎC）、
である。
【００４７】
条件式（１０）の上限値を上回ると、フォーカスによる色収差の変動が大きくなりやすい。
【００４８】
ところで、ここで無限遠物体を歪曲収差がない光学系で結像したとする。この場合、結像した像に歪曲がないので、
ｆ＝ｙ／ｔａｎω       ・・・（１１）
が成立する。
ここで、ｙは像点の光軸からの高さ、ｆは結像系の焦点距離、ωは撮像面上の中心からｙの位置に結ぶ像点に対応する物点方向の光軸に対する角度である。
【００４９】
一方、光学系に樽型の歪曲収差がある場合は、
ｆ＞ｙ／ｔａｎω       ・・・（１２）
となる。つまり、ｆとｙとを一定の値とするならば、ωは大きな値となる。
【００５０】
そこで、電子撮像装置には、特に広角端近傍の焦点距離において、意図的に大きな樽型の歪曲収差を有した光学系を用いるのが良い。この場合、歪曲収差を補正しなくて済む分だけ、光学系の広画角化が達成できる。
【００５１】
ただし、物体の像は、樽型の歪曲収差を有した状態で電子撮像素子上に結像する。そこで、電子撮像装置では、電子撮像素子で得られた画像データを、画像処理で加工するようにしている。この加工では、樽型の歪曲収差を補正するように、画像データ（画像の形状）を変化させる。
【００５２】
このようにすれば、最終的に得られた画像データは、物体とほぼ相似の形状を持つ画像データとなる。よって、この画像データに基づいて、物体の画像をＣＲＴやプリンターに出力すればよい。
【００５３】
ここで、結像光学系には、ほぼ無限遠物点合焦時に次の条件式（１３）を満足するものを採用するのがよい。
０．７０＜ｙ07／（ｆｗ・ｔａｎω07w）＜０．９６       …（１３）
ここで、ｙ07は電子撮像素子の有効撮像面内（撮像可能な面内）で中心から最も遠い点までの距離（最大像高）をｙ10としたときｙ07＝０．７・ｙ10として表され、ω07wは広角端における撮像面上の中心からｙ07の位置に結ぶ像点に対応する物点方向の光軸に対する角度、fwはズームレンズの広角端における全系の焦点距離である。
【００５４】
条件式（１３）はズーム広角端における樽型歪曲の度合いを規定したものである。条件式（１３）を満足すれば、光学系を肥大化させずに、広い画角の情報を取り込むことが可能となる。なお、樽型に歪んだ像は撮像素子にて光電変換されて、樽型に歪んだ画像データとなる。
【００５５】
樽型に歪んだ画像データは、電子撮像装置の信号処理系である画像処理手段にて、電気的に、像の形状変化に相当する加工が施される。このようにすれば、最終的に画像処理手段から出力された画像データを表示装置にて再生したとしても、歪曲が補正されて被写体形状にほぼ相似した画像が得られる。
【００５６】
ここで、条件式（１３）の上限値を上回る場合であって、特に、１に近い値をとると、歪曲収差が光学的に良く補正された画像が得られる。そのため、画像処理手段で行う補正が小さくてすむ。しかしながら、光学系の小型化を維持しながら、光学系を広画角化することが困難となる。
【００５７】
一方、条件式（１３）の下限値を下回ると、光学系の歪曲収差による画像歪みを画像処理手段で補正した場合に、画角周辺部の放射方向への引き伸ばし率が高くなりすぎる。その結果、撮像で得た画像において、画像周辺部の鮮鋭度の劣化が目立つようになってしまう。
【００５８】
このように、条件式（１３）を満足することにより、光学系の小型化と広角化（歪曲込みの垂直方向の画角を３８°以上にする）とが可能となる。
【００５９】
なお、条件式（１３）に代えて、次の条件式（１３’）を満足すると、より好ましい。
０．８０＜ｙ07／（ｆｗ・ｔａｎω07w）＜０．９５       …（１３’）
さらに、条件式（１３）に代えて、次の条件式（１３”）を満足すると、より一層好ましい。
０．８４＜ｙ07／（ｆｗ・ｔａｎω07w）＜０．９４       …（１３”）
【００６０】
ここで、硝材とは、ガラス、樹脂等のレンズ材料のことをいう。また、接合レンズには、これらの硝材から適宜選択されたレンズが用いられる。
【００６１】
また、接合レンズは、光軸中心厚の薄い第一のレンズと第二のレンズとを有し、第一のレンズが条件式（１）、及び（２）、あるいは（３）及び（２）を満足することが好ましい。このようにすると、各収差の更なる補正効果の向上や、レンズ群の更なる薄型化が期待できる。
【００６２】
また、接合レンズは、複合レンズであることが望ましい。複合レンズは、第二のレンズ表面に第一のレンズとして樹脂を密着硬化させることで実現できる。接合レンズを複合レンズにすることで、製造精度を向上させることができる。複合レンズ製造方法としては成形がある。成形では、第二のレンズに対して第一のレンズ材料（例えばエネルギー硬化型透明樹脂など）を接触させて、第一のレンズ材料を第二のレンズにじかに密着させる方法がある。この方法は、レンズ要素を薄くするのには極めて有効な方法である。
【００６３】
また、接合レンズを複合レンズにする場合、第二のレンズ表面に第一のレンズとしてガラスを密着硬化させてもよい。ガラスは樹脂比べて、耐光性、耐薬品性等の耐性の面で有利である。この場合、第一のレンズ材料の特性としては、第二のレンズ材料よりも融点、転移点が低いことが必要である。複合レンズ製造方法としては成形がある。成形では、第二のレンズに対して第一のレンズ材料を接触させて、第一のレンズ材料を第二のレンズにじかに密着させる方法がある。この方法は、レンズ要素を薄くするのには極めて有効な方法である。
【００６４】
なお、エネルギー硬化型透明樹脂の例として、紫外線硬化型樹脂がある。また、第一のレンズが樹脂の場合とガラスの場合のいずれにおいても、基材となる側のレンズにはあらかじめコーティングなど表面処理がなされていてもかまわない。また、第二のレンズの方が薄い場合には、第二のレンズのほうを第一のレンズに対して密着させても良い。
【００６５】
また、結像光学系内にプリズムを配置するのが好ましい。このプリズムは、光学系の光路を屈曲するために用いられる。特に結像光学系がズームレンズの場合、光学系の奥行き寸法を薄くする（全長を短くする）ことができる。このプリズムは、特に物体側から最初の正のレンズ群、もしくは負のレンズ群に配置することが好ましい。
【００６６】
また、レンズＬAは以下の条件式（１４）を満足するとよい。
１．５８＜ｎd＜１．７６       …（１４）
ここで、ｎdはレンズＬAの媒質の屈折率である。
条件式（１４）を満足すると、球面収差の補正や非点収差の補正が良好に行える。
【００６７】
なお、条件式（１４）に代えて、次の条件式（１４'）を満足すると、より好ましい。
１．６２＜ｎd＜１．７２       …（１４'）
さらに、条件式（１４）に代えて、次の条件式（１４”）を満足すると、より一層好ましい。
１．６３＜ｎd＜１．６８       …（１４”）
【００６８】
また、結像光学系はズームレンズであり、変倍時には各レンズ群同士の光軸上における相対的間隔が変化するのが好ましい。なお、上記の接合レンズは、このような結像光学系（ズームレンズ）に適用したほうが良い。
【００６９】
また、接合レンズにレンズＬAを用いる場合、レンズＬAはレンズＬBと接合することになる。このとき、レンズＬAの光軸中心厚は、レンズＬBに比べて薄くするのが好ましい。そして、レンズＬAの光軸中心厚ｔ１が、次の条件式（１５）を満足することが好ましい。
０．３＜ｔ１＜１．５       …（１５）
【００７０】
上記条件式を満足することで、光学系の小型化が実現できる。また、このレンズＬAを成形によって得る場合、安定した成形が行える。
【００７１】
なお、条件式（１５）に代えて、次の条件式（１５’）を満足すると、より好ましい。
０．４＜ｔ１＜１．２       …（１５’）
さらに、条件式（１５）に代えて、次の条件式（１５”）を満足すると、より一層好ましい。
０．５＜ｔ１＜１．０       …（１５”）
【００７２】
なお、レンズＬAは、少なくとも一方の面が非球面であるのがよい。
【００７３】
動画機能を有するレンズ交換式静止画カメラ用結像光学系に、以上述べた本発明の条件式や構成上の特徴を、個々に満足あるいは備えることにより、結像光学系のフォーカスレンズ群の軽量化が達成され、さらに色収差・コマ収差・メリジオナル像面湾曲が良好に補正出来、また、電子撮像装置において、該結像光学系を用いることにより、フォーカスの高速化、消費電力の削減、画像の鮮鋭化などを実現することが可能となる。
【００７４】
（実施例）
以下、ズームレンズに関する４つの実施例を示す。
【００７５】
本発明の実施例１にかかるズームレンズについて説明する。図１は本発明の実施例１にかかるズームレンズの無限遠物点合焦時の光学構成を示す光軸に沿う断面図であり、（ａ）は広角端、（ｂ）は中間焦点距離状態、（ｃ）は望遠端での断面図である。
【００７６】
図２は実施例１にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。また、ＦＩＹは像高を示している。なお、収差図における記号は、後述の実施例においても共通である。
【００７７】
図３は実施例１にかかるズームレンズの無限遠物点合焦時における軸外光束のコマ収差（縦収差）ＤＺＹを示す図であり、（ａ）は広角端、（ｂ）は中間焦点距離状態、（ｃ）は望遠端での状態を示している。
【００７８】
実施例１のズームレンズは、図１に示すように、物体側より順に、正の屈折力を有する第１レンズ群Ｇ１と、負の屈折力を有する第２レンズ群Ｇ２と、開口絞りＳと、正の屈折力を有する第３レンズ群Ｇ３と、負の屈折力を有する第４レンズ群Ｇ４とを有している。なお、以下全ての実施例において、レンズ断面図中、ＬＰＦはローパスフィルター、ＣＧはカバーガラス、Ｉは電子撮像素子の撮像面を示している。
【００７９】
第１レンズ群Ｇ１は、物体側より順に、物体側に凸面を向けた負メニスカスレンズＬ１と物体側に凸面を向けた正メニスカスレンズＬ２との接合レンズで構成されており、全体で正の屈折力を有している。
【００８０】
第２レンズ群Ｇ２は、物体側より順に、物体側に凸面を向けた負メニスカスレンズＬ３と、両凹負レンズＬ４と、両凸正レンズＬ５と、で構成されており、全体で負の屈折力を有している。
【００８１】
第３レンズ群Ｇ３は、物体側に凸面を向けた正メニスカスレンズＬ６と、物体側に凸面を向けた負メニスカスレンズＬ７と両凸正レンズＬ８との接合レンズと、物体側に凸面を向けた負メニスカスレンズＬ９と、両凸正レンズＬ１０と、で構成されており、全体で正の屈折力を有している。
【００８２】
第４レンズ群Ｇ４は、物体側に凸面を向けた負メニスカスレンズＬ１１と物体側に凸面を向けた正メニスカスレンズＬ１２との接合レンズで構成されており、全体で負の屈折力を有している。
【００８３】
負メニスカスレンズＬ１１はレンズＬB、正メニスカスレンズＬ１２はレンズＬAに対応する。
【００８４】
広角端から望遠端へと変倍する際には、第１レンズ群Ｇ１は固定している。第２レンズ群Ｇ２は、像面側へ移動する。第３レンズ群Ｇ３は物体側へ移動する。第４レンズ群Ｇ４は物体側へ移動する。
【００８５】
非球面は、第２レンズ群Ｇ２の両凹負レンズＬ４の物体側の面と、第３レンズ群Ｇ３の正メニスカスレンズＬ６の両面と、両凸正レンズＬ８の像側の面と、の４面に設けられている。
【００８６】
本発明の実施例２にかかるズームレンズについて説明する。図４は本発明の実施例２にかかるズームレンズの無限遠物点合焦時の光学構成を示す光軸に沿う断面図であり、（ａ）は広角端、（ｂ）は中間焦点距離状態、（ｃ）は望遠端での断面図である。
【００８７】
図５は実施例２にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【００８８】
図６は実施例２にかかるズームレンズの無限遠物点合焦時における軸外光束のコマ収差（縦収差）ＤＺＹを示す図であり、（ａ）は広角端、（ｂ）は中間焦点距離状態、（ｃ）は望遠端での状態を示している。
【００８９】
実施例２のズームレンズは、図４に示すように、物体側より順に、正の屈折力を有する第１レンズ群Ｇ１と、負の屈折力を有する第２レンズ群Ｇ２と、開口絞りＳと、正の屈折力を有する第３レンズ群Ｇ３と、負の屈折力を有する第４レンズ群Ｇ４とを有している。
【００９０】
第１レンズ群Ｇ１は、物体側より順に、物体側に凸面を向けた負メニスカスレンズＬ１と両凸正レンズＬ２との接合レンズで構成されており、全体で正の屈折力を有している。
【００９１】
第２レンズ群Ｇ２は、物体側より順に、物体側に凸面を向けた負メニスカスレンズＬ３と、両凹負レンズＬ４と、物体側に凸面を向けた正メニスカスレンズＬ５と、で構成されており、全体で負の屈折力を有している。
【００９２】
第３レンズ群Ｇ３は、両凸正レンズＬ６と両凹負レンズＬ７との接合レンズと、両凸正レンズＬ８と、両凹負レンズＬ９と、物体側に凸面を向けた正メニスカスレンズＬ１０と、で構成されており、全体で正の屈折力を有している。
【００９３】
第４レンズ群Ｇ４は、物体側に凸面を向けた負メニスカスレンズＬ１１と物体側に凸面を向けた正メニスカスレンズＬ１２との接合レンズで構成されており、全体で負の屈折力を有している。
【００９４】
負メニスカスレンズＬ１１はレンズＬB、正メニスカスレンズＬ１２はレンズＬAに対応する。
【００９５】
広角端から望遠端へと変倍する際には、第１レンズ群Ｇ１は固定している。第２レンズ群Ｇ２は、像面側へ移動する。第３レンズ群Ｇ３は物体側へ移動する。第４レンズ群Ｇ４は物体側へ移動する。
【００９６】
非球面は、第２レンズ群Ｇ２の両凹負レンズＬ４の物体側の面と、第３レンズ群Ｇ３の物体側の両凸正レンズＬ６の物体側の面と、両凸正レンズＬ８の両面と、第４レンズ群Ｇ４の正メニスカスレンズＬ１２の像側の面と、の５面に設けられている。
【００９７】
本発明の実施例３にかかるズームレンズについて説明する。図７は本発明の実施例３にかかるズームレンズの無限遠物点合焦時の光学構成を示す光軸に沿う断面図であり、（ａ）は広角端、（ｂ）は中間焦点距離状態、（ｃ）は望遠端での断面図である。
【００９８】
図８は実施例３にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【００９９】
図９は実施例３にかかるズームレンズの無限遠物点合焦時における軸外光束のコマ収差（縦収差）ＤＺＹを示す図であり、（ａ）は広角端、（ｂ）は中間焦点距離状態、（ｃ）は望遠端での状態を示している。
【０１００】
実施例３のズームレンズは、図７に示すように、物体側より順に、正の屈折力を有する第１レンズ群Ｇ１と、負の屈折力を有する第２レンズ群Ｇ２と、開口絞りＳと、正の屈折力を有する第３レンズ群Ｇ３と、負の屈折力を有する第４レンズ群Ｇ４とを有している。
【０１０１】
第１レンズ群Ｇ１は、物体側より順に、物体側に凸面を向けた負メニスカスレンズＬ１と両凸正レンズＬ２との接合レンズで構成されており、全体で正の屈折力を有している。
【０１０２】
第２レンズ群Ｇ２は、物体側より順に、両凹負レンズＬ３と、物体側に凸面を向けた負メニスカスレンズＬ４と、物体側に凸面を向けた正メニスカスレンズＬ５と、で構成されており、全体で負の屈折力を有している。
【０１０３】
第３レンズ群Ｇ３は、物体側に凸面を向けた正メニスカスレンズＬ６と、両凸正レンズＬ７と、両凹負レンズＬ８と、両凸正レンズＬ９と、で構成されており、全体で正の屈折力を有している。
【０１０４】
第４レンズ群Ｇ４は、物体側に凸面を向けた負メニスカスレンズＬ１０と物体側に凸面を向けた正メニスカスレンズＬ１１との接合レンズで構成されており、全体で負の屈折力を有している。
【０１０５】
負メニスカスレンズＬ１０はレンズＬB、正メニスカスレンズＬ１１はレンズＬAに対応する。
【０１０６】
広角端から望遠端へと変倍する際には、第１レンズ群Ｇ１は固定している。第２レンズ群Ｇ２は、像面側へ移動する。第３レンズ群Ｇ３は物体側へ移動する。第４レンズ群Ｇ４は物体側へ移動する。
【０１０７】
非球面は、第２レンズ群Ｇ２の負メニスカスレンズＬ４の物体側の面と、第３レンズ群Ｇ３の正メニスカスレンズＬ６の物体側の面と、物体側の両凸正レンズＬ７の両面と、第４レンズ群Ｇ４の正メニスカスレンズＬ１１の像側の面と、の５面に設けられている。
【０１０８】
本発明の実施例４にかかるズームレンズについて説明する。図１０は本発明の実施例４にかかるズームレンズの無限遠物点合焦時の光学構成を示す光軸に沿う断面図であり、（ａ）は広角端、（ｂ）は中間焦点距離状態、（ｃ）は望遠端での断面図である。
【０１０９】
図１１は実施例４にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【０１１０】
図１２は実施例４にかかるズームレンズの無限遠物点合焦時における軸外光束のコマ収差（縦収差）ＤＺＹを示す図であり、（ａ）は広角端、（ｂ）は中間焦点距離状態、（ｃ）は望遠端での状態を示している。
【０１１１】
実施例４のズームレンズは、図１０に示すように、物体側より順に、正の屈折力を有する第１レンズ群Ｇ１と、負の屈折力を有する第２レンズ群Ｇ２と、開口絞りＳと、正の屈折力を有する第３レンズ群Ｇ３と、負の屈折力を有する第４レンズ群Ｇ４とを有している。
【０１１２】
第１レンズ群Ｇ１は、物体側より順に、物体側に凸面を向けた負メニスカスレンズＬ１と両凸正レンズＬ２との接合レンズで構成されており、全体で正の屈折力を有している。
【０１１３】
第２レンズ群Ｇ２は、物体側より順に、両凹負レンズＬ３と、物体側に凸面を向けた負メニスカスレンズＬ４と、物体側に凸面を向けた正メニスカスレンズＬ５と、で構成されており、全体で負の屈折力を有している。
【０１１４】
第３レンズ群Ｇ３は、物体側に凸面を向けた正メニスカスレンズＬ６と、両凸正レンズＬ７と、物体側に凸面を向けた負メニスカスレンズＬ８と、像面側に凸面を向けた正メニスカスレンズＬ９と、で構成されており、全体で正の屈折力を有している。
【０１１５】
第４レンズ群Ｇ４は、物体側に凸面を向けた負メニスカスレンズＬ１０と物体側に凸面を向けた正メニスカスレンズＬ１１との接合レンズで構成されており、全体で負の屈折力を有している。
【０１１６】
負メニスカスレンズＬ１０はレンズＬB、正メニスカスレンズＬ１１はレンズＬAに対応する。
【０１１７】
広角端から望遠端へと変倍する際には、第１レンズ群Ｇ１は固定している。第２レンズ群Ｇ２は、像面側へ移動する。第３レンズ群Ｇ３は物体側へ移動する。第４レンズ群Ｇ４は物体側へ移動する。
【０１１８】
非球面は、第２レンズ群Ｇ２の負メニスカスレンズＬ４の物体側の面と、第３レンズ群Ｇ３の正メニスカスレンズＬ６の物体側の面と、両凸正レンズＬ７の両面と、第４レンズ群Ｇ４の正メニスカスレンズＬ１１の像側の面と、の５面に設けられている。
【０１１９】
次に、上記各実施例のズームレンズを構成する光学部材の数値データを掲げる。なお、各実施例の数値データにおいて、ｒ１、ｒ２、…は各レンズ面の曲率半径、ｄ１、ｄ２、…は各レンズの肉厚または空気間隔、ｎｄ１、ｎｄ２、…は各レンズのｄ線での屈折率、νｄ１、νｄ２、…は各レンズのアッべ数、Ｆｎｏ．はＦナンバー、ｆは全系焦点距離、Ｄ０は物体から第１面までの距離をそれぞれ表している。また、＊は非球面を示している。
【０１２０】
また、非球面形状は、光軸方向をｚ、光軸に直交する方向をｈにとり、円錐係数をＫ、非球面係数をＡ４、Ａ６、Ａ８、Ａ１０としたとき、次の式（ＩＩ）で表される。
ｚ＝（ｈ2／ｒ）／［１＋｛１−（１＋Ｋ）（ｈ／ｒ）2｝1/2］
＋Ａ４ｈ4＋Ａ６ｈ6＋Ａ８ｈ8＋Ａ１０ｈ10  …（ＩＩ）
また、Ｅは１０のべき乗を表している。なお、これら諸元値の記号は後述の実施例の数値データにおいても共通である。
【０１２１】
数値実施例１
単位ｍｍ
面データ
面番号     r           d           nd        νd      ER
物面      ∞           ∞
1       55.9710      1.5000      1.92286    18.90   20.000
2       49.4676      3.7352      1.80400    46.57   16.883
3      143.9824      可変                           15.869
4       90.1274      1.5053      1.84666    23.78   14.000
5       13.8963      7.4674                         10.710
6*     -40.0282      1.1523      1.69350    53.20   10.478
7       26.4226      0.4177                         10.428
8       24.4014      4.8612      1.84666    23.78   10.688
9      -79.3088      可変                           10.591
10(絞り)  ∞         可変                            4.670
11*     18.0936      2.7323      1.82080    42.71    7.000
12*    165.5978      4.2202                          7.022
13      22.9053      1.3929      1.84666    23.78    7.204
14      10.6875      4.1457      1.49700    81.54    6.847
15*    -83.1506      0.1000                          6.886
16      92.4799      0.5700      1.80000    29.84    6.910
17      20.7081      2.1302                          6.904
18      39.8829      3.9655      1.78590    44.20    7.402
19     -62.6006      可変                            7.614
20      97.2996      1.0000      1.83481    42.71    7.692
21      21.3586      1.0000      1.63547    22.84    7.661
22      31.8237      可変                            7.676
23        ∞         4.2000      1.51633    64.14   12.000  ＊フィルター
24        ∞         1.9766                         12.000
像面（撮像面）∞
非球面データ
第６面
K=1.0000
A2=0.0000E+00,A4=2.7466E-06,A6=3.4652E-09,A8=-1.1234E-10,A10=0.0000E+00
第１１面
K=0.
A2=0.0000E+00,A4=-2.0116E-05,A6=-1.6004E-07,A8=0.0000E+00,A10=0.0000E+00
第１２面
K=0.
A2=0.0000E+00,A4=-1.3060E-05,A6=-1.8591E-07,A8=4.2386E-10,A10=0.0000E+00
第１５面
K=0.
A2=0.0000E+00,A4=7.3875E-05,A6=2.5574E-07,A8=-1.2551E-09,A10=0.0000E+00
各種データ
広角        中間         望遠
焦点距離         14.28058     24.22973     40.65127
ＦＮＯ．          3.4824       3.8174       5.7579
画角２ω         81.7°       48.4°       29.4°
像高             10.8         10.8         10.8
レンズ全長       99.2172      99.2111      99.2092 
d3                0.99972     12.80797     16.15066
d9               25.10689      6.78556      3.41673
d10              10.33688     11.54172      1.50036
d19               1.19364      1.18790      1.18619
d22              13.50750     18.80782     28.88126
レンズ   始面     焦点距離
1        1     114.05985  
2        4     -22.84630   
3       11      21.20477   
4       20     -48.55991    
〔硝材屈折率テーブル〕・・・ 本実施例にて使用した媒質の波長別屈折率一覧
GLA                      587.56   656.27   486.13   435.84   404.66
L12                     1.635473 1.627801 1.655618 1.673790 1.690480
L4                      1.693500 1.689550 1.702580 1.709705 1.715640
L6                      1.820800 1.815070 1.834290 1.845133 1.854335
L13                     1.516330 1.513855 1.521905 1.526213 1.529768
L8                      1.496999 1.495136 1.501231 1.504506 1.507205
L10                     1.785896 1.780584 1.798364 1.808375 1.816868
L11                     1.834807 1.828975 1.848520 1.859547 1.868911
L2                      1.804000 1.798815 1.816080 1.825698 1.833800
L9                      1.800000 1.792237 1.819043 1.835170 1.849510
L1                      1.922860 1.909158 1.957996 1.989713 2.019763
L3,L5,L7                1.846660 1.836488 1.872096 1.894186 1.914294
【０１２２】
数値実施例２
単位ｍｍ
面データ
面番号     r           d           nd        νd      ER
物面      ∞           ∞
1       89.3405      1.5000      1.94595    17.98   20.000
2       70.7392      4.5000      1.69680    55.53   17.371
3     -941.2812      可変                           16.110
4     2092.0128      1.2000      1.83481    42.71   14.000
5       15.9497      6.3742                         11.139
6*    -304.5423      1.1000      1.69350    53.20   10.840
7       37.4086      0.8222                         10.639
8       26.1684      3.5000      1.84666    23.78   10.779
9      151.1493      可変                           10.536
10(絞り)  ∞         可変                            4.531
11*     21.4719      3.0000      1.76802    49.24    6.700
12     -86.6030      1.0000      1.84666    23.78    6.796
13     126.7776      5.8273                          6.881
14*     17.9813      5.0000      1.49700    81.54    8.023
15*    -19.2416      0.2000                          7.974
16    -156.6800      1.0000      1.80000    29.84    7.650
17      16.7907      2.3000                          7.368
18      31.1241      2.0000      1.80610    40.92    7.731
19     910.8764      可変                            7.737
20      63.7665      1.0000      1.80610    40.92    7.771
21      16.1697      1.0000      1.67412    20.10    7.661
22*     25.6730      可変                            7.659
23        ∞         4.2000      1.51633    64.14   12.000  ＊フィルター
24        ∞         1.9845                         12.000
像面（撮像面）∞
非球面データ
第６面
K=0.
A2=0.0000E+00,A4=-2.5976E-07,A6=-1.7971E-08,A8=8.0384E-11,A10=0.0000E+00
第１１面
K=0.
A2=0.0000E+00,A4=-5.9689E-06,A6=-4.7338E-08,A8=-1.5467E-10,A10=1.1302E-12
第１４面
K=0.
A2=0.0000E+00,A4=-4.8253E-05,A6=-5.6030E-08,A8=-4.4899E-10,A10=0.0000E+00
第１５面
K=0.
A2=0.0000E+00,A4=8.5204E-05,A6=-3.5979E-07,A8=8.8359E-10,A10=0.0000E+00
第２２面
K=0.
A2=0.0000E+00,A4=-2.1364E-06,A6=1.0987E-07,A8=4.0071E-10,A10=0.0000E+00
各種データ
広角        中間         望遠
焦点距離         14.27926     24.22818     40.64942
ＦＮＯ．          3.5210       3.6928       5.7579
画角２ω         84.1         47.8         29.1
像高             10.8         10.8         10.8
レンズ全長       99.0949      99.1710      99.0925
d3                1.05836     12.42282     16.86721
d9               26.03096      4.86906      3.51074
d10               9.89578     13.84712      1.52108
d19               1.41294      1.11656      2.23423
d22              13.18859     19.38467     27.44140
レンズ   始面     焦点距離
1        1     127.95824   
2        4     -23.62532   
3       11      21.02515   
4       20     -46.58408  
〔硝材屈折率テーブル〕・・・ 本実施例にて使用した媒質の波長別屈折率一覧
GLA                     587.56   656.27   486.13   435.84   404.66
L12                    1.674117 1.665099 1.698643 1.721956 1.745200
L1                     1.945950 1.931230 1.983830 2.018254 2.051063
L4                     1.693500 1.689550 1.702580 1.709705 1.715640
L6                     1.768020 1.763310 1.778910 1.787509 1.794710
L13                    1.516330 1.513855 1.521905 1.526213 1.529768
L8                     1.496999 1.495136 1.501231 1.504506 1.507205
L10,L11                1.806098 1.800248 1.819945 1.831173 1.840781
L3                     1.834807 1.828975 1.848520 1.859547 1.868911
L2                     1.696797 1.692974 1.705522 1.712339 1.718005
L9                     1.800000 1.792237 1.819043 1.835170 1.849510
L5,L7                  1.846660 1.836488 1.872096 1.894186 1.914294
【０１２３】
数値実施例３
単位ｍｍ
面データ
面番号     r           d           nd        νd      ER
物面      ∞           ∞
1       83.1725      1.5000      1.94595    17.98   20.000
2       64.2611      4.5000      1.69680    55.53   16.207
3       -3.540E+04   可変                           14.885
4    -1705.6554      1.2000      1.79952    42.22   14.000
5       14.8599      5.3066                         11.070
6*      46.5893      1.1000      1.69350    53.20   10.992
7       21.5202      2.2170                         10.591
8       24.7470      3.5000      1.84666    23.78   10.732
9       92.1471      可変                           10.442
10(絞り)  ∞         可変                            4.623
11*     17.8917      2.4000      1.76802    49.24    7.100
12      29.4476      4.1144                          7.078
13*     10.4931      6.0000      1.49700    81.54    8.188
14*    -16.5180      0.0826                          7.966
15     -52.0740      1.0000      1.80000    29.84    7.564
16      13.8317      3.5271                          7.077
17      83.9594      2.2000      1.77250    49.60    7.541
18     -45.3905      可変                            7.653
19      42.5129      1.0000      1.77250    49.60    7.756(LB)
20      14.4299      1.0000      1.63387    23.38    7.603(LA)
21*     21.7322      可変                            7.599
22        ∞         4.2000      1.51633    64.14   12.000  ＊フィルター
23        ∞         1.9140                         12.000
像面（撮像面）∞
非球面データ
第６面
K=0.
A2=0.0000E+00,A4=1.9265E-05,A6=-6.2937E-09,A8=4.6374E-10,A10=0.0000E+00
第１１面
K=0.
A2=0.0000E+00,A4=3.2099E-05,A6=-1.3503E-07,A8=-3.0828E-09,A10=3.2740E-11
第１３面
K=0.
A2=0.0000E+00,A4=-1.4389E-04,A6=-3.7673E-07,A8=-1.0129E-09,A10=0.0000E+00
第１４面
K=0.
A2=0.0000E+00,A4=1.7473E-04,A6=-1.1789E-06,A8=1.0866E-08,A10=0.0000E+00
第２１面
K=0.
A2=0.0000E+00,A4=1.1147E-07,A6=1.2507E-07,A8=-6.9935E-10,A10=0.0000E+00
各種データ
広角        中間         望遠
焦点距離         14.28613     24.22181     40.64610
ＦＮＯ．          3.4631       3.7093       5.7579
画角２ω         80.2         47.1         28.9
像高             10.8         10.8         10.8
レンズ全長       98.8873      99.3953      99.0035
d3                0.68512     12.40038     17.47148
d9               25.88780      4.96713      3.51471
d10              10.85526     14.37143      1.41718
d18               1.77452      0.88219      2.12217
d21              12.92301     20.02770     27.66855
レンズ   始面     焦点距離
1        1     132.46329   
2        4     -24.55536   
3       11      21.63266   
4       19     -49.87196  
〔硝材屈折率テーブル〕・・・ 本実施例にて使用した媒質の波長別屈折率一覧
GLA                     587.56   656.27   486.13   435.84   404.66
L1                     1.945950 1.931230 1.983830 2.018254 2.051063
L4                     1.693500 1.689550 1.702580 1.709705 1.715640
L6                     1.768020 1.763310 1.778910 1.787509 1.794710
L11                    1.633870 1.626381 1.653490 1.671610 1.688826
L12                    1.516330 1.513855 1.521905 1.526213 1.529768
L7                     1.496999 1.495136 1.501231 1.504506 1.507205
L3                     1.799516 1.793879 1.812814 1.823553 1.832706
L9,L10                 1.772499 1.767798 1.783374 1.791971 1.799174
L2                     1.696797 1.692974 1.705522 1.712339 1.718005
L8                     1.800000 1.792237 1.819043 1.835170 1.849510
L5                     1.846660 1.836488 1.872096 1.894186 1.914294
【０１２４】
数値実施例４
単位ｍｍ
面データ
面番号     r           d           nd        νd      ER
物面      ∞           ∞
1       87.9659      1.5000      1.94595    17.98   20.000
2       66.4601      4.5000      1.69680    55.53   16.200
3     -428.6745      可変                           14.981
4     -364.1506      1.2000      1.78590    44.20   14.000
5       14.9636      5.0888                         11.012
6*      78.2509      1.1000      1.69350    53.20   10.938
7       25.3889      1.9268                         10.607
8       24.5062      3.5000      1.84666    23.78   10.787
9       98.7596      可変                           10.514
10(絞り)  ∞         可変                            4.420
11*     19.8482      3.2676      1.49700    81.54    6.700
12     259.8129      3.9935                          6.942
13*     18.9961      5.1811      1.76802    49.24    7.977
14*    -78.3736      0.4461                          7.559
15      99.0960      1.0701      1.92286    20.88    7.423
16      16.4313      3.9836                          7.127
17   -1887.2477      2.2000      1.71999    50.23    7.644
18     -29.1973      可変                            7.792
19      33.6509      1.0000      1.77250    49.60    7.881
20      13.4328      1.0000      1.63296    24.01    7.656
21*     18.8235      可変                            7.646
22        ∞         4.2000      1.51633    64.14   12.000  ＊フィルター
23        ∞         1.9417                         12.000
像面（撮像面）∞
非球面データ
第６面
K=0.
A2=0.0000E+00,A4=1.2138E-05,A6=-2.0543E-08,A8=4.2477E-10,A10=0.0000E+00
第１１面
K=0.
A2=0.0000E+00,A4=-5.6167E-06,A6=2.7152E-07,A8=-6.8425E-09,A10=4.1818E-11
第１３面
K=0.
A2=0.0000E+00,A4=-9.4955E-09,A6=-1.9916E-07,A8=5.9709E-09,A10=0.0000E+00
第１４面
K=0.
A2=0.0000E+00,A4=7.6263E-05,A6=-4.0382E-07,A8=9.1001E-09,A10=0.0000E+00
第２１面
K=0.
A2=0.0000E+00,A4=1.5568E-06,A6=-2.3766E-08,A8=4.9965E-10,A10=0.0000E+00
各種データ
広角        中間         望遠
焦点距離         14.27990     24.23676     40.64780
ＦＮＯ．          3.6168       3.7115       5.7579
画角２ω         81.3         46.6         28.7
像高             10.8         10.8         10.8
レンズ全長       98.8106      99.5647      99.0221
d3                0.62682     12.15692     17.77090
d9               26.61258      4.23361      3.50320
d10               9.53901     15.13554      1.38514
d18               1.87659      0.78920      1.96342
d21              13.05636     20.08762     27.28711
レンズ   始面     焦点距離
1        1     116.04389 
2        4     -24.00002
3       11      21.61328   
4       19     -49.44081 
〔硝材屈折率テーブル〕・・・ 本実施例にて使用した媒質の波長別屈折率一覧
GLA                     587.56   656.27   486.13   435.84   404.66
L11                    1.632960 1.625570 1.651930 1.668330 1.683330
L8                     1.922860 1.910380 1.954570 1.982810 2.009196
L1                     1.945950 1.931230 1.983830 2.018254 2.051063
L4                     1.693500 1.689550 1.702580 1.709705 1.715640
L7                     1.768020 1.763310 1.778910 1.787509 1.794710
L12                    1.516330 1.513855 1.521905 1.526213 1.529768
L6                     1.496999 1.495136 1.501231 1.504506 1.507205
L3                     1.785896 1.780584 1.798364 1.808375 1.816868
L10                    1.772499 1.767798 1.783374 1.791971 1.799174
L9                     1.719995 1.715670 1.730004 1.737917 1.744546
L2                     1.696797 1.692974 1.705522 1.712339 1.718005
L5                     1.846660 1.836488 1.872096 1.894186 1.914294
【０１２５】
以下、各実施例の条件式の値を掲げる。
実施例１    実施例２    実施例３    実施例４
ｆw(広角端)                       14.281     14.279      14.286      14.280
ｆs( 中間 )                       24.230     24.228      24.222      24.237
ｆt(望遠端)                       40.651     40.649      40.646      40.648
半画角ωw(広角端)                 40.9       42.1        40.1        41.7
半画角ωs( 中間 )                 24.2       23.9        23.6        23.3
半画角ωt(望遠端)                 14.7       14.6        14.5        14.4
ｙ10                              10.8       10.8        10.8        10.8
(Ｒ4F＋R4R)/(Ｒ4F-R4R)             1.972      2.348       3.092       3.539
(Ｒ4LAF＋R4LAR)/(Ｒ4LAF-R4LAR)    -5.082     -4.403      -4.952      -5.984
(Ｒ3ALF＋R3ALR)/(Ｒ3ALF-R3ALR)    -3.160     -3.343      -1.394      -0.983
ｎd                                1.63547    1.67412     1.63387     1.63296
b                                  2.2453     2.2108      2.2581      2.2740
θgF〔=θgF(LA)〕                  0.6533     0.6950      0.6684      0.6222
β                                 0.7826     0.8088      0.8007      0.7581
νd〔=νd(LA)〕                   22.84      20.10       23.38       24.01
θhg〔=θhg(LA)〕                  0.6218     0.6927      0.6476      0.5690
βhg                               0.8123     0.8603      0.8425      0.7692
θgF〔=θgF(LB)〕                  0.5645     0.5703      0.5523      0.5523
νd〔=νd(LB)〕                   42.71      40.92       49.60       49.60
θhg〔=θhg(LB)〕                  0.4790     0.4881      0.4624      0.4624
θgF(ＬA)-θgF(ＬB)                0.0888     0.1247      0.1161      0.0699
θhg(ＬA)-θhg(ＬB)                0.1428     0.2046      0.1852      0.1066
νd(ＬA)-νd(ＬB)                -19.87     -20.82      -26.22      -25.59
ｙ07                               7.56      7.56         7.56        7.56
ｔａｎω07w                        0.56726   0.57875      0.56124     0.56728
ｙ07/(ｆｗ・ｔａｎω07w)           0.933     0.915        0.943       0.933
【０１２６】
さて、以上のような本発明の結像光学系は、物体の像をＣＣＤやＣＭＯＳなどの電子撮像素子で撮影する撮影装置、とりわけデジタルカメラやビデオカメラ、情報処理装置の例であるパソコン、電話、携帯端末、特に持ち運びに便利な携帯電話等に用いることができる。以下に、その実施形態を例示する。
【０１２７】
図１３〜図１５に本発明による結像光学系をデジタルカメラの撮影光学系４１に組み込んだ構成の概念図を示す。図１３はデジタルカメラ４０の外観を示す前方斜視図、図１４は同後方斜視図、図１５はデジタルカメラ４０の光学構成を示す断面図である。
【０１２８】
デジタルカメラ４０は、この例の場合、撮影用光路４２を有する撮影光学系４１、ファインダー用光路４４を有するファインダー光学系４３、シャッター４５、フラッシュ４６、液晶表示モニター４７等を含む。そして、撮影者が、カメラ４０の上部に配置されたシャッター４５を押圧すると、それに連動して撮影光学系４１、例えば実施例１のズームレンズ４８を通して撮影が行われる。
【０１２９】
撮影光学系４１によって形成された物体像は、ＣＣＤ４９の撮像面上に形成される。このＣＣＤ４９で受光された物体像は、画像処理手段５１を介し、電子画像としてカメラ背面に設けられた液晶表示モニター４７に表示される。また、この画像処理手段５１にはメモリ等が配置され、撮影された電子画像を記録することもできる。なお、このメモリは画像処理手段５１と別体に設けてもよいし、フレキシブルディスクやメモリーカード、ＭＯ等により電子的に記録書込を行うように構成してもよい。
【０１３０】
さらに、ファインダー用光路４４上には、ファインダー用対物光学系５３が配置されている。このファインダー用対物光学系５３は、カバーレンズ５４、第１プリズム１０、開口絞り２、第２プリズム２０、フォーカス用レンズ６６からなる。このファインダー用対物光学系５３によって、結像面６７上に物体像が形成される。この物体像は、像正立部材であるポロプリズム５５の視野枠５７上に形成される。このポロプリズム５５の後方には、正立正像にされた像を観察者眼球Ｅに導く接眼光学系５９が配置されている。
【０１３１】
このように構成されたデジタルカメラ４０によれば、撮影光学系４１の構成枚数を少なくした小型化・薄型化のズームレンズを有する電子撮像装置が実現できる。なお、本発明は、上述した沈胴式のデジタルカメラに限られず、屈曲光学系を採用する折り曲げ式のデジタルカメラにも適用できる。
【０１３２】
次に、本発明の結像光学系が対物光学系として内蔵された情報処理装置の一例であるパソコンを図１６〜図１８に示す。図１６はパソコン３００のカバーを開いた状態の前方斜視図、図１７はパソコン３００の撮影光学系３０３の断面図、図１８は図１６の側面図である。図１６〜図１８に示されるように、パソコン３００は、キーボード３０１と、情報処理手段や記録手段と、モニター３０２と、撮影光学系３０３とを有している。
【０１３３】
ここで、キーボード３０１は、外部から操作者が情報を入力するためのものである。情報処理手段や記録手段は、図示を省略している。モニター３０２は、情報を操作者に表示するためのものである。撮影光学系３０３は、操作者自身や周辺の像を撮影するためのものである。モニター３０２は、液晶表示素子やＣＲＴディスプレイ等であってよい。液晶表示素子としては、図示しないバックライトにより背面から照明する透過型液晶表示素子や、前面からの光を反射して表示する反射型液晶表示素子がある。また、図中、撮影光学系３０３は、モニター３０２の右上に内蔵されているが、その場所に限らず、モニター３０２の周囲や、キーボード３０１の周囲のどこであってもよい。
【０１３４】
この撮影光学系３０３は、撮影光路３０４上に、例えば実施例１のズームレンズからなる対物光学系１００と、像を受光する電子撮像素子チップ１６２とを有している。これらはパソコン３００に内蔵されている。
【０１３５】
鏡枠の先端には、対物光学系１００を保護するためのカバーガラス１０２が配置されている。
電子撮像素子チップ１６２で受光された物体像は、端子１６６を介して、パソコン３００の処理手段に入力される。そして、最終的に、物体像は電子画像としてモニター３０２に表示される。図１６には、その一例として、操作者が撮影した画像３０５が示されている。また、この画像３０５は、処理手段を介し、遠隔地から通信相手のパソコンに表示されることも可能である。遠隔地への画像伝達は、インターネットや電話を利用する。
【０１３６】
次に、本発明の結像光学系が撮影光学系として内蔵された情報処理装置の一例である電話、特に持ち運びに便利な携帯電話を図１９に示す。図１９（a）は携帯電話４００の正面図、図１９（b）は側面図、図１９（c）は撮影光学系４０５の断面図である。図１９（a）〜（c）に示されるように、携帯電話４００は、マイク部４０１と、スピーカ部４０２と、入力ダイアル４０３と、モニター４０４と、撮影光学系４０５と、アンテナ４０６と、処理手段とを有している。
【０１３７】
ここで、マイク部４０１は、操作者の声を情報として入力するためのものである。スピーカ部４０２は、通話相手の声を出力するためのものである。入力ダイアル４０３は、操作者が情報を入力するためのものである。モニター４０４は、操作者自身や通話相手等の撮影像や、電話番号等の情報を表示するためのものである。アンテナ４０６は、通信電波の送信と受信を行うためのものである。処理手段（不図示）は、画像情報や通信情報、入力信号等の処理を行うためのものである。
【０１３８】
ここで、モニター４０４は液晶表示素子である。また、図中、各構成の配置位置は、特にこれらに限られない。この撮影光学系４０５は、撮影光路４０７上に配された対物光学系１００と、物体像を受光する電子撮像素子チップ１６２とを有している。対物光学系１００としては、例えば実施例１のズームレンズが用いられる。これらは、携帯電話４００に内蔵されている。
【０１３９】
鏡枠の先端には、対物光学系１００を保護するためのカバーガラス１０２が配置されている。
電子撮影素子チップ１６２で受光された物体像は、端子１６６を介して、図示していない画像処理手段に入力される。そして、最終的に物体像は、電子画像としてモニター４０４に、又は、通信相手のモニターに、又は、両方に表示される。また、処理手段には信号処理機能が含まれている。通信相手に画像を送信する場合、この機能により、電子撮像素子チップ１６２で受光された物体像の情報を、送信可能な信号へと変換する。
【０１４０】
なお、本発明は、その趣旨を逸脱しない範囲で様々な変形例をとることができる。
【産業上の利用可能性】
【０１４１】
以上のように、本発明は、レンズ交換式静止画カメラの動画機能の高性能化にともなうフォーカスレンズ群の軽量化と同時に、色収差、コマ収差、メリジオナル像面湾曲が良好に補正された光学系や、この結像光学系を用いることにより、フォーカスの高速化、消費電力の削減、画像の鮮鋭化などをできる電子撮像装置に有用である。
【符号の説明】
【０１４２】
Ｇ１          第１レンズ群
Ｇ２          第２レンズ群
Ｇ３          第３レンズ群
Ｇ４          第４レンズ群
Ｌ１〜Ｌ１２        各レンズ
ＬＰＦ        ローパスフィルタ
ＣＧ          カバーガラス
Ｉ            撮像面
Ｅ            観察者の眼球
４０          デジタルカメラ
４１          撮影光学系
４２          撮影用光路
４３          ファインダー光学系
４４          ファインダー用光路
４５          シャッター
４６          フラッシュ
４７          液晶表示モニター
４８          ズームレンズ
４９          ＣＣＤ
５０          撮像面
５１          処理手段
５３          ファインダー用対物光学系
５５          ポロプリズム
５７          視野枠
５９          接眼光学系
６６          フォーカス用レンズ
６７          結像面
１００        対物光学系
１０２        カバーガラス
１６２        電子撮像素子チップ
１６６        端子
３００        パソコン
３０１        キーボード
３０２        モニター
３０３        撮影光学系
３０４        撮影光路
３０５        画像
４００        携帯電話
４０１        マイク部
４０２        スピーカ部
４０３        入力ダイアル
４０４        モニター
４０５        撮影光学系
４０６        アンテナ
４０７        撮影光路
【図１】
0005450256.tif 000002
【図２】
0005450256.tif 000003
【図３】
0005450256.tif 000004
【図４】
0005450256.tif 000005
【図５】
0005450256.tif 000006
【図６】
0005450256.tif 000007
【図７】
0005450256.tif 000008
【図８】
0005450256.tif 000009
【図９】
0005450256.tif 000010
【図１０】
0005450256.tif 000011
【図１１】
0005450256.tif 000012
【図１２】
0005450256.tif 000013
【図１３】
0005450256.tif 000014
【図１４】
0005450256.tif 000015
【図１５】
0005450256.tif 000016
【図１６】
0005450256.tif 000017
【図１７】
0005450256.tif 000018
【図１８】
0005450256.tif 000019
【図１９】
0005450256.tif 000020